(57)【要約】【課題】ユーザが作業の一部をする原稿の仕分けにおいてユーザを支援することができる原稿仕分装置を提供する。【解決手段】原稿仕分装置１は、原稿４１が白紙の面を有するか否かの観点からの原稿４１の仕分け方について、ユーザの入力によって設定される設定部５１と、給紙された原稿４１を読み取る画像センサ５と、画像センサ５で読み取られた原稿４１の面が白紙か否かを判別する判別部５３と、判別部５３での判別に応じて画像センサ５で読み取られた原稿４１が排紙される位置（排紙トレイＴ１，Ｔ２）を切り替える切替部５５と、判別部５３での判別後に排紙された原稿４１の中から、画像センサ５によって第２面４５の読み取りをするためにユーザがセットすべき原稿４１について、設定部５１での設定を基にユーザに案内する案内部５７と、を備える。【選択図】図８
2008028782.tif 000002
【特許請求の範囲】
【請求項１】
原稿が記録面として利用できる面を有するか否かの観点からの原稿の仕分け方について、ユーザの入力によって設定される設定部と、
給紙された原稿を読み取る画像センサと、
前記画像センサで読み取られた原稿の面が記録面として利用できるか否かを判別する判別部と、
前記判別部での判別に応じて前記画像センサで読み取られた原稿が排紙される位置を切り替える切替部と、
前記判別部での判別後に排紙された原稿の中から、前記画像センサによって第２面の読み取りをするためにユーザがセットすべき原稿について、前記設定部での設定を基にユーザに案内する案内部と、を備える
ことを特徴とする原稿仕分装置。
【請求項２】
前記設定部での設定は、両面が記録面として利用できない原稿と少なくとも片面が記録面として利用できる原稿とに仕分ける設定であり、
前記案内部は、第２面の読み取りをする原稿として、第１面が記録面として利用できない原稿を案内する
ことを特徴とする請求項１記載の原稿仕分装置。
【請求項３】
前記設定部での設定は、両面が記録面として利用できない原稿と片面のみが記録面として利用できる原稿と両面が記録面として利用できる原稿とに仕分ける設定であり、
前記案内部は、別々に第２面の読み取りをする原稿として、第１面が記録面として利用できない原稿と第１面が記録面として利用できる原稿とを案内する
ことを特徴とする請求項１記載の原稿仕分装置。
【請求項４】
前記案内部は、原稿をセットする向きを案内する
ことを特徴とする請求項１〜３のいずれか一項に記載の原稿仕分装置。
【請求項５】
前記記録面として利用できる面とは、白紙の面及び記録済領域が少ない面のうちいずれかである
ことを特徴とする請求項１〜４のいずれか一項に記載の原稿仕分装置。
【請求項６】
前記判別部での判別の対象となる原稿の面上の領域は、ユーザによって任意に設定変更ができる
ことを特徴とする請求項１〜５のいずれか一項に記載の原稿仕分装置。
【請求項７】
原稿が排紙される位置の切り替えは、原稿が排紙されるトレイの切り替えである
ことを特徴とする１〜６のいずれか一項に記載の原稿仕分装置。
【請求項８】
原稿が記録面として利用できる面を有するか否かの観点からの原稿の仕分け方について、ユーザの入力によって設定される設定ステップと、  
前記設定ステップ後、給紙された原稿の第１面を画像センサによって読み取り、第１面が記録面として利用できるか否かを判別する第１の判別ステップと、
前記第１の判別ステップ後に排紙された原稿の中から、前記画像センサによって第２面の読み取りをする原稿について前記設定ステップを基にユーザに案内する案内ステップと、
前記案内ステップで案内された原稿をユーザがセットした後、給紙された原稿の第２面を前記画像センサによって読み取り、第２面が記録面として利用できるか否かを判別する第２の判別ステップと、を備える
ことを特徴とする原稿仕分方法。
【請求項９】
給紙された原稿の第１面を画像センサによって読み取り、第１面が記録面として利用できるか否かを判別する第１のステップと、
前記第１のステップ後に排紙された原稿の中から、第１面が記録面として利用できない判別がされた原稿をユーザがセットした後、給紙された原稿の第２面を前記画像センサによって読み取り、第２面が記録面として利用できるか否かを判別する第２のステップと、
前記第１のステップ後に排紙された原稿の中から、第１面が記録面として利用できる判別がされた原稿をユーザがセットした後、給紙された原稿の第２面を前記画像センサによって読み取り、第２面が記録面として利用できるか否かを判別する第３のステップと、を備える
ことを特徴とする原稿仕分方法。
【請求項１０】
前記第１のステップ後に排紙された原稿の中から前記第２のステップの対象になる原稿と前記第３のステップの対象になる原稿とをユーザに案内するステップを備える
ことを特徴とする請求項９に記載の原稿仕分方法。
【発明の詳細な説明】
【技術分野】
【０００１】
本発明は、例えば原稿自動送り装置を用いて原稿を仕分ける原稿仕分装置及び原稿仕分方法に関する。
【背景技術】
【０００２】
コピーやプリンタによって画像が記録されている原稿であっても、記録面として利用できる面を有する原稿（例えば片面が白紙の原稿）であれば、裏紙として再利用することができる。従来の原稿仕分装置には、原稿の表面を読み取って白紙か否かで原稿を判別し、表面が白紙でない原稿をユーザに再セットさせ、再セットされた原稿の裏面を読み取って白紙か否かで原稿を判別することによって、原稿を仕分けるものがある（例えば特許文献１参照。）。
【０００３】
この装置によれば、原稿を、片面が白紙の原稿と両面に画像が記録されている原稿とに仕分けることができる。両面が白紙の原稿は、片面が白紙の原稿として仕分けられる。表面が白紙でない原稿の再セットは、ユーザの作業にしている。  
【特許文献１】特開２００１−３３５２１８号公報（段落００１９〜段落００２１）
【発明の開示】
【発明が解決しようとする課題】
【０００４】
本発明の目的は、ユーザが作業の一部をする原稿の仕分けにおいてユーザを支援することができる原稿仕分装置及び原稿仕分方法を提供することである。
本発明の他の目的は、原稿を正確に仕分けることができる原稿仕分方法を提供することである。
【課題を解決するための手段】
【０００５】
本発明に係る原稿仕分装置は、原稿が記録面として利用できる面を有するか否かの観点からの原稿の仕分け方について、ユーザの入力によって設定される設定部と、給紙された原稿を読み取る画像センサと、前記画像センサで読み取られた原稿の面が記録面として利用できるか否かを判別する判別部と、前記判別部での判別に応じて前記画像センサで読み取られた原稿が排紙される位置を切り替える切替部と、前記判別部での判別後に排紙された原稿の中から、前記画像センサによって第２面の読み取りをするためにユーザがセットすべき原稿について、前記設定部での設定を基にユーザに案内する案内部と、を備える。
【０００６】
本発明に係る原稿仕分装置において、前記設定部での設定は、両面が記録面として利用できない原稿と少なくとも片面が記録面として利用できる原稿とに仕分ける設定であり、前記案内部は、第２面の読み取りをする原稿として、第１面が記録面として利用できない原稿を案内する、ようにすることができる。
【０００７】
本発明に係る原稿仕分装置において、前記設定部での設定は、両面が記録面として利用できない原稿と片面のみが記録面として利用できる原稿と両面が記録面として利用できる原稿とに仕分ける設定であり、前記案内部は、別々に第２面の読み取りをする原稿として、第１面が記録面として利用できない原稿と第１面が記録面として利用できる原稿とを案内する、ようにすることができる。
【０００８】
本発明に係る原稿仕分装置において、前記案内部は、原稿をセットする向きを案内する、ようにすることができる。
【０００９】
本発明に係る原稿仕分装置において、前記記録面として利用できる面とは、白紙の面及び記録済領域が少ない面のうちいずれかである、ようにすることができる。
【００１０】
本発明に係る原稿仕分装置において、前記判別部での判別の対象となる原稿の面上の領域は、ユーザによって任意に設定変更ができる、ようにすることができる。
【００１１】
本発明に係る原稿仕分装置において、原稿が排紙される位置の切り替えは、原稿が排紙されるトレイの切り替えである、ようにすることができる。
【００１２】
本発明に係る原稿仕分方法の一態様は、原稿が記録面として利用できる面を有するか否かの観点からの原稿の仕分け方について、ユーザの入力によって設定される設定ステップと、前記設定ステップ後、給紙された原稿の第１面を画像センサによって読み取り、第１面が記録面として利用できるか否かを判別する第１の判別ステップと、前記第１の判別ステップ後に排紙された原稿の中から、前記画像センサによって第２面の読み取りをする原稿について前記設定ステップを基にユーザに案内する案内ステップと、前記案内ステップで案内された原稿をユーザがセットした後、給紙された原稿の第２面を前記画像センサによって読み取り、第２面が記録面として利用できるか否かを判別する第２の判別ステップと、を備える。
【００１３】
本発明に係る原稿仕分方法の他の態様は、給紙された原稿の第１面を画像センサによって読み取り、第１面が記録面として利用できるか否かを判別する第１のステップと、前記第１のステップ後に排紙された原稿の中から、第１面が記録面として利用できない判別がされた原稿をユーザがセットした後、給紙された原稿の第２面を前記画像センサによって読み取り、第２面が記録面として利用できるか否かを判別する第２のステップと、前記第１のステップ後に排紙された原稿の中から、第１面が記録面として利用できる判別がされた原稿をユーザがセットした後、給紙された原稿の第２面を前記画像センサによって読み取り、第２面が記録面として利用できるか否かを判別する第３のステップと、を備える。
【００１４】
本発明に係る原稿仕分方法の他の態様において、前記第１のステップ後に排紙された原稿の中から前記第２のステップの対象になる原稿と前記第３のステップの対象になる原稿とをユーザに案内するステップを備える、ようにすることができる。
【発明の効果】
【００１５】
本発明に係る原稿仕分装置によれば、第１面を読み取ってこの面が記録面として利用できるか否かの判別がされた原稿の中から第２面の読み取りをするためにユーザがセットすべき原稿をユーザに案内している。原稿の仕分け方に応じて、第２面の読み取りをする原稿が異なるので、上記案内がされることによって、ユーザは、第２面の読み取りをする原稿を迷わずにかつ間違わずにセットすることができる。よって、ユーザが作業の一部をする原稿の仕分けにおいてユーザを支援することができる。本発明に係る原稿仕分方法の一態様もこれと同様の効果が生じる。
【００１６】
本発明に係る原稿仕分方法の他の態様によれば、第１面が記録面として利用できない原稿及び第１面が記録面として利用できる原稿について、別々に、第２面が記録面として利用できるか否かを判別する処理をしている。このため、両面が記録面として利用できない原稿と、片面のみが記録面として利用できる原稿と、両面が記録面として利用できる原稿と、に原稿を仕分けることができる。したがって、本発明に係る原稿仕分方法の他の態様によれば、原稿を正確に仕分けることができる。
【発明を実施するための最良の形態】
【００１７】
本発明の実施形態について図面を用いて説明する。図１は、本実施形態に係る原稿仕分装置１の主要な構成を示す図である。原稿仕分装置１は、コピー機、スキャナー、ファクシミリ機やこれらの機能を有するデジタル複合機に備えることができる。
【００１８】
上記コピー機等は、原稿を繰り込んで読み取るので、画像読取装置と称される。本実施形態は、原稿仕分装置１として機能する画像読取装置を利用して原稿を仕分ける場合、ユーザが作業の一部（具体的には原稿の再セット）をすることにより、原稿をスイッチバックさせる機能を用いることなく、簡単な構成で原稿を仕分けることを一つの目的にしている。
【００１９】
原稿仕分装置１は、原稿自動送り装置３及びこの装置３によって読取位置Ｐに搬送された原稿を読み取る画像センサ５を備える。原稿自動送り装置３は、原稿の搬送経路Ｃ１〜Ｃ６に設置された、ローラＲ１〜Ｒ１４、ガイドＧ及び原稿検知センサＳ１〜Ｓ３を備える。
【００２０】
ローラＲ１は原稿を繰り込む方向に回転し、これにより、給紙トレイＴ０から原稿が繰り込まれる。ローラＲ１の両端部には、ローラＲ２を保持するアームＡＭが揺動可能に取り付けられている。ローラＲ３は、ローラＲ１と協働して原稿をニップする。ローラＲ２が原稿を繰り込む方向に回転すると共にローラＲ３が原稿を戻す方向に回転することによって、二枚以上の原稿が一度に繰り込まれるのを防止する。
【００２１】
ローラＲ４，Ｒ５，Ｒ６，Ｒ７は、原稿を読取位置Ｐへ搬送する方向に同期して回転する。ローラＲ８，Ｒ９，Ｒ１０，Ｒ１１はフリーローラである。ローラＲ４とローラＲ８、ローラＲ５とローラＲ９、ローラＲ６とローラＲ１０、ローラＲ７とローラＲ１１で、それぞれ原稿をニップする。
【００２２】
ローラＲ１２は、時計方向及び反時計方向に回転可能である。ローラＲ１３は、反時計方向に回転可能である。搬送経路Ｃ５を通った原稿は、ローラＲ１２，Ｒ１３によってニップされる。ローラＲ１２が時計方向に回転すると共にローラＲ１３が反時計方向に回転することによって、原稿は排紙トレイＴ１に排紙される。
【００２３】
ローラ１４は時計方向に回転可能である。搬送経路Ｃ６を通った原稿は、ローラＲ１２，Ｒ１４によってニップされる。ローラＲ１２が反時計方向に回転すると共にローラＲ１４が時計方向に回転することによって、原稿は排紙トレイＴ２に排紙される。原稿を搬送するローラとしてローラＲ１〜Ｒ１４を説明したが、原稿を搬送するローラの数や設置箇所はこれに限定されない。
【００２４】
ガイドＧは、図示しないガイド駆動部によって、実線で示す位置と点線で示す位置とに切り替えられる。ガイドＧが点線で示す位置にあると、排紙トレイＴ１へ向かう搬送経路Ｃ５が選択される。ガイドＧが実線で示す位置にあると、排紙トレイＴ２へ向かう搬送経路Ｃ６が選択される。
【００２５】
原稿検知センサＳ１，Ｓ２，Ｓ３は、原稿の位置を検知するためのセンサである。例えば、原稿検知センサＳ１によって、給紙トレイＴ０に原稿がセットされているか否かが検知される。
【００２６】
原稿仕分装置１は、読取位置Ｐに配置されたプラテンガラス７及びこの近傍に配置されたミラー９を含む光学系を備える。原稿を読み取るために、図示しない光源から原稿に照射された光は、原稿で反射されてプラテンガラス７を通過し、ミラー９を含む光学系によって画像センサ５上で結像される。これにより、原稿に記録されている画像が画像センサ５によって読み取られる。
【００２７】
原稿の読み取りとは、原稿（原稿の片面又は両面）を読み取って、画像データを出力することである。画像が記録されている面ではこの画像の画像データが出力され、白紙の面では白紙の画像データが出力されることになる。
【００２８】
次に、原稿仕分装置１のハードウェア構成について、図２を用いて説明する。図２は、原稿仕分装置１のハードウェア構成を示すブロック図である。原稿仕分装置１は、制御部２１、画像センサ５、原稿検知センサＳ１〜Ｓ３、ローラ駆動部２３、ガイド駆動部２５表示部２７、操作部２９、ＲＯＭ３１、ＲＡＭ３３、画像メモリ３５が相互にバス３７で接続された構成を有する。
【００２９】
制御部２１は、例えばＣＰＵにより実現されており、原稿仕分装置１を構成する上記ハードウェアを制御すると共に原稿仕分装置１の動作に必要なソフトウェアを実行する。画像センサ５は、ＣＣＤ等によって原稿に記録された画像を読み取って画像データとして出力する。
【００３０】
原稿検知センサＳ１，Ｓ２，Ｓ３は、上記の通り、原稿の位置を検知するためのセンサであり、リミットセンサや発光素子と受光素子で構成される光センサ等によって実現される。ローラ駆動部２３は、例えばステッピングモータにより実現され、フリーローラ以外のローラＲ１〜Ｒ１４を回転駆動する。ガイド駆動部２５は、ソレノイド等により実現され、ガイドＧの位置を切り替える。
【００３１】
表示部２７には、原稿仕分装置１を操作するユーザを支援する案内画面が表示される。表示部２７は、ＬＣＤ、ＣＲＴ等で実現される。操作部２９は、原稿仕分装置１の操作に必要な各種のキーを備える。
【００３２】
ＲＯＭ３１は、フラッシュメモリ等により実現されており、原稿仕分装置１の動作に必要なソフトウェアを記憶している。ＲＡＭ３３は、ＳＲＡＭ、ＤＲＡＭ等により実現されており、ソフトウェアの実行時に発生するデータを一時的に記憶する。画像メモリ３５は、ＤＲＡＭ等で実現されており、画像センサ５から出力された画像データを一時的に記憶する。
【００３３】
本実施形態に係る原稿仕分装置１の動作について図３〜図７を用いて説明する。図３〜図５は、原稿仕分装置１内の原稿４１の位置を示す図であり、図１と対応する。図６及び図７は、原稿仕分装置１の操作方法をユーザに案内する画面３９を示す図であり、図２の表示部２７に表示される。
【００３４】
原稿仕分装置１は、原稿４１が記録面として利用できる面を有するか否かの観点から、原稿４１の仕分をする。本実施形態では、白紙の面を記録面として利用できる面とし、白紙でない面（つまり画像が記録されている面）を記録面として利用できない面とする。
【００３５】
ユーザは、次の（１）又は（２）の仕分け方を選択できる。
（１）原稿４１を、両面に画像が記録されている原稿４１と、片面が白紙の原稿４１と、に仕分ける。
（２）原稿４１を、両面に画像が記録されている原稿４１と、一方の片面が白紙で他方の片面に画像が記録されている原稿４１と、両面が白紙の原稿４１と、に仕分ける。
【００３６】
ここで、（１）の片面が白紙の原稿４１とは、少なくとも片面が白紙の原稿４１を意味し、両面が白紙の原稿４１もこれに含まれる。両面が白紙の原稿４１とは、プリンタやコピー機で画像を記録する際に誤って用紙が二枚以上繰り込まれたこと等によって生じる原稿４１を意味する。
【００３７】
仕分け方（１）は、原稿４１を、両面が記録面として利用できない原稿４１と、少なくとも片面が記録面として利用できる原稿４１と、に仕分けることである。仕分け方（２）は、原稿４１を、両面が記録面として利用できない原稿４１と、片面のみが記録面として利用できる原稿４１と、両面が記録面として利用できる原稿４１とに仕分けることである。
【００３８】
まず、仕分け方（１）から説明する。原稿仕分装置１で原稿４１を仕分ける場合、図６（ａ）に示すように、原稿４１の仕分け方についてユーザに設定を促す画面３９が表示される。次に、ユーザの入力によって仕分け方（１）の設定操作をする。具体的に説明すると、ユーザは、選択キーを操作して（１）を選択し、確定キーを押す。選択キー、確定キー及び次に説明するスタートキーは、図２の操作部２９に配置されている。
【００３９】
確定キーが押されると、図６（ｂ）に示す画面３９が表示される。原稿４１の両面のうち、最初に読み取られる片面を第１面４３とし、次に読み取られる片面を第２面４５とする。画面３９の案内に従って、ユーザは原稿４１の束を給紙トレイＴ０にセットし、スタートキーを押す。これにより、図３に示すように、給紙トレイＴ０にセットされた原稿４１は、ローラＲ１〜Ｒ３によって、一枚毎に原稿自動送り装置３内へ給紙される。給紙された原稿４１は、ローラＲ１〜Ｒ１４によって、以下のように搬送される。
【００４０】
原稿４１は、搬送経路Ｃ１→搬送経路Ｃ２→搬送経路Ｃ３を通って、読取位置Ｐへ搬送される。原稿４１の第１面４３を下にして読取位置Ｐを通過させて、画像センサ５によって原稿４１の第１面４３が読み取られる。第１面４３が読み取られた原稿４１は、搬送経路Ｃ４を通り、ローラＲ７，Ｒ１１へ向けて搬送される。
【００４１】
原稿４１の第１面４３の読み取りが完了すると、第１面４３が白紙か否か判別される。原稿４１の第１面４３について、画像センサ５から出力された画像データが白紙の画像データ、つまり画像が含まれていなければ白紙と判別される。第１面４３が白紙の原稿４１は、図４に示すように搬送経路Ｃ６を通り、ローラＲ１２，Ｒ１４によって排紙トレイＴ２に排紙される。原稿４１は、第１面４３を下にして排紙される。
【００４２】
これに対して、第１面４３が白紙でない、つまり画像が記録されている原稿４１は、図５に示すように、搬送経路Ｃ５を通り、ローラＲ１２，Ｒ１３によって排紙トレイＴ１に排紙される。
【００４３】
以下同様にして、給紙トレイＴ０から給紙された原稿４１一枚毎に第１面４３を画像センサ５によって読み取り、第１面４３が白紙か否かを判別する。白紙の場合、原稿４１を排紙トレイＴ２に排紙する。画像が記録されている場合、原稿４１を排紙トレイＴ１に排紙する。
【００４４】
給紙トレイＴ０にセットされた原稿４１の束の給紙が終了すると、図６（ｃ）に示す画面３９が表示される。第１面４３が白紙か否かの判別後に排紙された原稿４１の中から第２面４５の読み取りをする原稿４１について、図６（ａ）の設定を基にしてユーザに案内している。
【００４５】
「原稿を上下の向きを変えないで」とは、「第２面４５を上にして」という意味である。第２面４５を画像センサ５で読み取るために、第２面４５を上にして原稿４１を給紙トレイＴ０にセットするのである。第２面４５の読み取りをする原稿４１は、第１面４３が白紙でない、つまり画像が記録されている原稿４１である。第２面４５の読み取りをする原稿４１は、排紙トレイＴ１に排紙されている。排紙トレイＴ１は排紙トレイＴ２の上にあり、ユーザが原稿４１を取りやすい位置にある。
【００４６】
本実施形態において、「上下の向きを変えないで」とは、「原稿４１の天地の向きを変えないで」という意味であり、「原稿４１の先端側と手元側の向きを変えないで」という意味ではない。本実施形態では、給紙トレイＴ０にセットされた原稿４１が排紙されると原稿４１の上下（天地）が逆になるので、原稿４１をセットする向きの案内として「上下の向きを変えないで」としている。しかしながら、原稿の搬送経路にＵターン部を含まない直線状の搬送経路の場合、給紙トレイＴ０にセットされた原稿４１は上下の向きを変えないで排紙される。したがって、この場合は、「上下の向きを変えて」と案内する。
【００４７】
排紙トレイＴ２には、第１面４３が白紙の原稿４１や両面が白紙の原稿４１が、第１面４３を下にして排紙されている。排紙トレイＴ２の原稿４１は、そのままにしておく。ユーザは、図６（ｃ）に示す画面３９の案内に従って、排紙トレイＴ１に排紙された原稿４１の束を給紙トレイＴ０にセットし、スタートキーを押す。これにより、第１面４３の読み取りと同様に、第２面４５が白紙か否かが判別される。第２面４５が白紙の原稿４１は、第２面４５を下にして排紙トレイＴ２に排紙される。
【００４８】
仕分け方（１）によれば、白紙の面を有する原稿４１について、白紙の面を一方向（本実施形態では白紙の面を下）に揃えて排紙トレイＴ２に排紙している。したがって、排紙トレイＴ２の原稿４１の束は、白紙の面が一方向に向いた状態なので、原稿４１の束をそのまま、プリンタ等の給紙トレイにセットして裏紙として再利用することができる。よって、原稿４１を裏紙として効率的に再利用することができる。
【００４９】
一方、第２面４５が白紙でない原稿４１、つまり、両面に画像が記録されている原稿４１は、排紙トレイＴ１に排紙される。
【００５０】
排紙トレイＴ１，Ｔ２に排紙された原稿４１を説明するために、第２面４５を上にして給紙トレイＴ０にセットされた原稿４１の束の給紙が終了すると、図６（ｄ）に示す画面３９が表示される。この画面３９から分かるように、仕分け方（１）によれば、原稿４１を、両面に画像が記録されている原稿４１と、少なくとも片面が白紙の原稿４１と、に仕分けることができる。
【００５１】
次に、仕分け方（２）を説明する。図７（ａ）に示すように、原稿４１の仕分け方についてユーザに設定を促す内容が画面３９に表示される。ユーザは選択キーを操作して（２）を選択し、確定キーを押す。
【００５２】
仕分け方（１）と同様に、図７（ｂ）に示す画面３９が表示される。ユーザは原稿４１の束を給紙トレイＴ０にセットし、スタートキーを押す。これにより、仕分け方（１）と同様にして、第１面４３が白紙か否かが判別されて、第１面４３が白紙の原稿４１は排紙トレイＴ２に排紙され、第１面４３が白紙でない原稿４１は排紙トレイＴ１に排紙される。
【００５３】
給紙トレイＴ０にセットされた原稿４１の束の給紙が終了すると、図７（ｃ）に示す画面３９が表示される。仕分け方（１）では、排紙トレイＴ１に排紙された原稿４１（つまり第１面４３に画像が記録されている原稿４１）だけを、第２面４５の読み取りの対象にしている。これに対して、仕分け方（２）では、排紙トレイＴ１，Ｔ２に排紙された原稿４１が、別々に、第２面４５の読み取りの対象になることを、ユーザに案内している。
【００５４】
第２面４５の読み取りをする原稿４１は、排紙トレイＴ１，Ｔ２に排紙された原稿４１のいずれが先であってもよい。本実施形態では、排紙トレイＴ１に排紙された原稿４１の第２面４５を先に読み取る。
【００５５】
仕分け方（１）と同様にして、排紙トレイＴ１に排紙された原稿４１の第２面４５を読み取って、第２面４５が白紙か否かを判別する。第２面４５が白紙でない原稿４１（したがって両面に画像が記録されている原稿４１）は、排紙トレイＴ１に排紙される。一方、第２面４５が白紙の原稿４１（したがって一方の片面が白紙で他方の片面に画像が記録されている原稿４１）は、排紙トレイＴ２に排紙される。
【００５６】
排紙トレイＴ１，Ｔ２に排紙された原稿４１を説明するために、第２面４５を上にして給紙トレイＴ０にセットされた原稿４１の束の給紙が終了すると、図７（ｄ）に示す画面３９が表示される。ユーザは、この画面３９に従って、排紙トレイＴ１，Ｔ２に排紙された原稿４１を別の位置に移動させる。次に、図７（ｃ）で案内した、排紙トレイＴ２に排紙された原稿４１（つまり第１面４３が白紙の原稿４１）について、第２面４５が白紙か否かを判別する処理を実行する。
【００５７】
この処理の実行により、第２面４５が白紙の原稿４１（したがって両面が白紙の原稿４１）は排紙トレイＴ１に排紙され、第２面４５が白紙でない原稿４１（つまり一方の片面が白紙で他方の片面に画像が記録されている原稿４１）は排紙トレイＴ２に排紙される。排紙トレイＴ１，Ｔ２に排紙された原稿４１を説明するために、第２面４５を上にして給紙トレイＴ０にセットされた原稿４１の束の給紙が終了すると、図７（ｅ）に示す画面３９が表示される。
【００５８】
図７（ｄ）及び図７（ｅ）の画面３９から分かるように、仕分け方（２）によれば、原稿４１を、両面に画像が記録されている原稿４１と、一方の片面が白紙で他方の片面に画像が記録されている原稿４１と、両面が白紙の原稿４１と、に仕分けることができる。
【００５９】
以上のように、本実施形態によれば、第１面４３を読み取ってこの面が白紙か否かの判別がされた原稿４１の中から第２面４５の読み取りをするために、ユーザが給紙トレイＴ０にセットすべき原稿４１に関してユーザに案内している。原稿４１の仕分け方（１），（２）に応じて、第２面４５の読み取りをする原稿４１は異なる。ユーザには上記案内がされるので、第２面４５の読み取りをする原稿４１を迷わずにかつ間違わずにセットすることができる。したがって、本実施形態によれば、ユーザが作業の一部をする原稿４１の仕分けにおいてユーザを支援することができる。
【００６０】
仕分け方（２）によれば、第１面４３が白紙の原稿４１及び第１面４３が白紙でない（つまり第１面４３に画像が記録されている）原稿４１について、別々に、第２面４５が白紙か否かを判別する処理をしている。よって、両面に画像が記録されている原稿４１と、一方の片面が白紙で他方の片面に画像が記録されている原稿４１と、両面が白紙の原稿４１と、に原稿４１を仕分けることができる。したがって、仕分け方（２）によれば、原稿を正確に仕分けることができる。
【００６１】
原稿仕分装置１を用いる原稿４１の仕分けでは、第１面４３が白紙か否かの判別がされて排紙された原稿４１のセット（つまり、原稿４１の再セット）をユーザの作業にしている。これにより、原稿４１をスイッチバックさせる機能を用いることなく、簡単な構成で原稿４１を仕分けることができる。したがって、本実施形態によれば、画像読取装置がスイッチバック機能を備えていなくても、この画像読取装置を原稿仕分装置１として利用することができる。また、画像読取装置がスイッチバック機能を備えていても、原稿仕分装置１として利用する場合、スイッチバック機能を使用しないで、原稿４１を仕分ける。原稿４１をスイッチバックさせるとその分だけ原稿４１の搬送時間が長くなる。よって、本実施形態によれば、スイッチバック機能を使用して全自動で原稿４１を仕分ける場合に比べて、原稿４１の仕分け時間を短縮できる。
【００６２】
本実施形態では、図６（ａ）や図７（ａ）に示すように、ユーザが原稿４１の仕分け方（１），（２）を選択する設定ができるようにされている。しかしながら、図７で説明した仕分け方（２）のみを実行する原稿の仕分けでもよい。
【００６３】
本実施形態では、原稿４１が排紙される排紙トレイＴ１，Ｔ２の切り替えによって、原稿４１が排紙される位置を切り替えている。しかしながら、一つの排紙トレイで原稿４１を排紙する位置をずらすことによって、原稿４１が排紙される位置を切り替えてもよい。
【００６４】
本実施形態では、原稿４１の記録面として利用できる面を白紙の面を例に説明した。白紙の面（全面白）に限らず、記録済領域が少ない面を記録面として利用できる面にすることもできる。例えば、上部や下部にヘッダーやフッターのみ記録されている面を記録面として利用できる面にすることもできる（この場合、ヘッダーやフッター以外の画像が記録されている面が、記録面として利用できない面となる）。また、例えば、記録されている量が所定基準より少ない面を記録面として利用できる面とすることもできる。
【００６５】
記録済領域が少ない面を記録面として利用できる面にすることにより、原稿４１の隅やエッジ付近にのみ記録済領域がある面を有する原稿４１は、記録面として利用できる面を有する原稿４１として仕分けられるので、このような原稿４１も裏紙として再利用できる。
【００６６】
記録面として利用できるか否かの判別の対象となる原稿４１の面上の領域は、ユーザによって任意に設定変更ができるようにしてもよい。これにより、原稿４１の隅やエッジ付近を判別の対象から外すことができるので、記録済領域が少ない面を記録面として利用できる面にする場合と同様の効果を得ることができる。
【００６７】
本実施形態では、図６及び図７に示すように、原稿仕分装置１の操作方法を画面３９で案内しているが、音声メッセージで案内してもよい。
【００６８】
次に、本実施形態に係る原稿仕分装置１の機能ブロックについて説明する。図８に示すように、原稿仕分装置１は、設定部５１、画像センサ５、判別部５３、切替部５５及び案内部５７を備える。
【００６９】
設定部５１は、原稿４１が白紙の面（記録面として利用できる面の一例）を有するか否かの観点からの原稿４１の仕分け方について、ユーザの入力によって設定する。設定部５１の機能は、図２に示す制御部２１、表示部２７、操作部２９及びＲＡＭ３３等により実現される。画像センサ５は、給紙トレイＴ０から給紙された原稿４１を読み取る。
【００７０】
判別部５３は、画像センサ５で読み取られた原稿の面が白紙の面か否かを判別する。判別部５３の機能は、制御部２１、ＲＡＭ３３及び画像メモリ３５等により実現される。
【００７１】
切替部５５は、判別部５３での判別に応じて画像センサ５で読み取られた原稿４１が排紙される位置（排紙トレイＴ１，Ｔ２）を切り替える。切替部５５の機能は、図１に示すガイドＧ及び図２に示すガイド駆動部２５等により実現される。
【００７２】
案内部５７は、判別部５３での判別後に排紙された原稿４１の中から、画像センサ５によって第２面４５の読み取りをするためにユーザがセットすべき原稿４１について、設定部５１での設定を基にユーザに案内する。案内部５７の機能は、制御部２１、表示部２７及びＲＡＭ３３等により実現される。
【図面の簡単な説明】
【００７３】
【図１】本実施形態に係る原稿仕分装置の主要な構成を示す図である。
【図２】本実施形態に係る原稿仕分装置のハードウェア構成を示したブロック図である。
【図３】本実施形態に係る原稿仕分装置内の原稿の位置（第１の位置）を示す図である。
【図４】本実施形態に係る原稿仕分装置内の原稿の位置（第２の位置）を示す図である。
【図５】本実施形態に係る原稿仕分装置内の原稿の位置（第３の位置）を示す図である。
【図６】本実施形態に係る原稿仕分装置の操作方法をユーザに案内する画面の一例を示す図である。
【図７】本実施形態に係る原稿仕分装置の操作方法をユーザに案内する画面の他の例を示す図である。
【図８】本実施形態に係る原稿仕分装置の機能ブロックを示す図である。
【符号の説明】
【００７４】
１・・・原稿仕分装置、３・・・原稿自動送り装置、５・・・画像センサ、７・・・プラテンガラス、９・・・ミラー、２１・・・制御部、２３・・・ローラ駆動部、２５・・・ガイド駆動部、２７・・・表示部、２９・・・操作部、３１・・・ＲＯＭ、３３・・・ＲＡＭ、３５・・・画像メモリ、３７・・・バス、３９・・・画面、４１・・・原稿、４３・・・第１面、４５・・・第２面、５１・・・設定部、５３・・・判別部、５５・・・切替部、５７・・・案内部、ＡＭ・・・アーム、Ｃ１〜Ｃ６・・・搬送経路、Ｇ・・・ガイド、Ｐ・・・読取位置、Ｒ１〜Ｒ１４・・・ローラ、Ｓ１〜Ｓ３・・・原稿検知センサ、Ｔ０・・・給紙トレイ、Ｔ１，Ｔ２・・・排紙トレイ
【図１】
2008028782.tif 000003
【図２】
2008028782.tif 000004
【図３】
2008028782.tif 000005
【図４】
2008028782.tif 000006
【図５】
2008028782.tif 000007
【図６】
2008028782.tif 000008
【図７】
2008028782.tif 000009
【図８】
2008028782.tif 000010